(57)【要約】【課題】スピーカユニットを押さえる梱包部品の張り出し部が弱く、梱包箱の落下等があった時にスピーカユニットがダメージを受け易いという問題と、ダメージを受け難くすると梱包構造の複雑化により梱包箱の設計が困難になったり、コストアップを招くという問題とを解決する。【解決手段】スピーカユニット１をキャビネット等のスピーカ取付部２３に取り付ける際に、スピーカフレーム１１の前端側周壁１１ｂとスピーカ取付部２３との間における取り付け寸法の整合に用いられるスピーカブラケット２５は、スピーカフレーム１１の前面側及び後面側のいずれからも、前端側周壁１１ｂに装着可能に形成しておいて、梱包時には、スピーカブラケット２５をスピーカフレーム１１の前端側周壁１１ｂの前面側に装着して梱包することで、スピーカ前面を覆う保護カバーとしてスピーカブラケット２５を活用する。【選択図】図６
2007181015.tif 000002
【特許請求の範囲】
【請求項１】
略リング状に形成されて、一面側にスピーカフレームの前端側周壁に締結されるフレーム整合部が設けられると共に、他面側には前記前端側周壁を固定すべきキャビネットのスピーカ取付部に固定されるキャビネット整合部が設けられて、スピーカユニットを前記スピーカ取付部に取り付ける際に、前記前端側周壁と前記スピーカ取付部との間における取り付け寸法の整合に用いられるスピーカブラケットであって、
前記フレーム整合部が、前記スピーカフレームの前面側及び後面側のいずれからも、前記前端側周壁に装着可能に形成されたことを特徴とするスピーカブラケット。
【請求項２】
キャビネットのスピーカ取付部へ固定するためのキャビネット取付部が前端側周壁に形成されたスピーカフレームに、振動板及び該振動板を駆動するための磁気回路が組み付けられたスピーカユニットと、当該スピーカユニットを前記スピーカ取付部に取り付ける際に前記前端側周壁と前記スピーカ取付部との間に介在させることで、前記前端側周壁と前記スピーカ取付部との間における取り付け寸法の整合に用いられるスピーカブラケットと、を備えるスピーカ装置であって、
前記スピーカブラケットとして、請求項１に記載のスピーカブラケットが備えられたことを特徴とするスピーカ装置。
【発明の詳細な説明】
【技術分野】
【０００１】
本発明は、スピーカブラケット及びスピーカ装置に関する。
【背景技術】
【０００２】
スピーカ装置は、通常、キャビネット等のバッフル板に形成されたスピーカ取付部にスピーカユニットを固定することで、所定の音響再生を実現する。
前記スピーカユニットは、通常、振動板や該振動板を駆動するための磁気回路がスピーカフレームに組み付けられた構成で、前記スピーカフレームの前端側周壁に、前記スピーカ取付部へねじ止め等により固定されるキャビネット取付け部が装備されている。
【０００３】
ところで、例えば、車両のドアにスピーカ取付部を形成する場合、そのドアに装備されるその他の機構部品やスペース上の制約から、スピーカ取付部が、スピーカユニット上のキャビネット取付け部とは若干異なる寸法で形成される場合も少なくない。
そのような前記前端側周壁と前記スピーカ取付部との間における取り付け寸法の不整合に対処するため、キャビネット取付け部の装備位置や寸法を変更した多種のスピーカフレームを用意すると、生産性の低下や大幅なコストアップといった問題を招く。
【０００４】
そこで、スピーカユニットをスピーカ取付部に取り付ける際に前端側周壁とスピーカ取付部との間に介在させることで、前端側周壁とスピーカ取付部との間における取り付け寸法の整合に用いられるスピーカブラケットとを付属させるスピーカ装置が各種提案されている（例えば、特許文献１、２参照）。
【０００５】
ところで、スピーカユニットは、流通時にガタつき等で破損しないように、ボール紙あるいは段ボールあるいは発泡スチロール等で形成された梱包部品によって移動を規制する梱包を行う。
図１及び図２は、従来の梱包構造を示したものである。
【０００６】
図１に示した梱包構造は、単体のスピーカユニット１を二つの梱包部品３，４によって保持させた例を示す。
また、図２に示した梱包構造は、スピーカユニット１に取り付け寸法の調整用のブラケット２を組み付けた状態で、これらのスピーカユニット１とブラケット２とを二つの梱包部品５，６によって保持させた例を示す。
【０００７】
図１及び図２において、スピーカユニット１は、キャビネット等のスピーカ取付部へ固定するためのキャビネット取付部（ねじ止め部）１１ａが前端側周壁１１ｂに形成されたスピーカフレーム１１に、振動板１３や該振動板１３を駆動するための磁気回路１４が組み付けられている。
この例の場合、振動板１３は、コーン型振動板で、その外周縁に一体化されたロールエッジ１５の外周縁が前端側周壁１１ｂの内周のエッジ固定部（不図示）に固定されることで、スピーカフレーム１１に取り付けられている。
【０００８】
ブラケット２は、略リング状に形成されて、一面側にスピーカフレーム１１の前端側周壁１１ｂの後面に締結されるフレーム整合部２１が設けられると共に、他面側にはキャビネット等のスピーカ取付部に固定されるキャビネット整合部２２が設けられて、スピーカユニット１をスピーカ取付部に取り付ける際に、前端側周壁１１ｂとスピーカ取付部との間における取り付け寸法の整合に用いられる。
【０００９】
この例の場合、梱包部品３〜６は、例えば発泡スチロール製で、スピーカユニット１の外郭形状に相応する形状・寸法に成形される。
梱包部品３及び梱包部品５は、スピーカユニット１の後部を収容する凹部３ａ，５ａの周囲に、前端側周壁１１ｂの後端面が当接する段差部３ｂ、又は前端側周壁１１ｂに組み付けられたブラケット２の後端面が当接する段差部５ｂを形成した構成になっている。
【００１０】
梱包部品４及び梱包部品６は、梱包部品３，５の段差部３ｂ，５ｂとの間に前端側周壁１１ｂを挟み込むことで、流通時に作用する振動や衝撃等でスピーカユニット１が凹部３ａ，５ａから飛び出すことを防止する。
【００１１】
【特許文献１】特開２００３−６３３１６号公報
【特許文献２】特開平１０−２５０４９２号公報
【発明の開示】
【発明が解決しようとする課題】
【００１２】
ところが、従来の梱包構造では、梱包部品３，５からのスピーカユニット１の飛び出し防止は、梱包部品４，６が前端側周壁１１ｂの前面を直接押さえる構造で、梱包部品４，６の内周部とロールエッジ１５との干渉を回避するために、前端側周壁１１ｂの上に被さる張り出し部４ａ，６ａの張り出し長さｗが小さく制限されてしまう。
【００１３】
その結果、張り出し部４ａ，６ａは、小さな接触面積で、スピーカユニット１を押さえなければならず、重量のあるスピーカユニットの場合は、梱包箱を落下させた時などに、単位面積当たりに過大な剪断応力が作用して、張り出し部４ａ，６ａに欠損や変形が生じてしまい、この張り出し部４ａ，６ａの欠損や変形に起因してスピーカユニット１が梱包箱内で動いてしまって、スピーカユニット１がダメージを受ける虞があった。
【００１４】
このような不都合の発生を防止するため、梱包部品の一つとして、スピーカユニット１の前面全域を覆う保護カバーを追加し、前記張り出し部４ａ，６ａの張り出しの長さｗの増大を図ることも検討されたが、このような対応では、梱包部品の増加により梱包構造が複雑化し、梱包箱の設計が困難になったり、あるいはコストアップを招く虞があった。
【００１５】
本発明が解決しようとする課題としては、上述した従来技術において生じる、スピーカユニットを押さえる梱包部品の張り出し部の長さが大きく取れないために張り出し部に欠損や変形が生じ易く、梱包箱の落下等があった時に張り出し部に欠損や変形によってスピーカユニットがダメージを受け易いという問題、及び、スピーカユニットの保護を強化しようとすると、梱包部品の追加が必要になり、梱包構造の複雑化により梱包箱の設計が困難になったり、コストアップを招くという問題がそれぞれ一例として挙げられる。
【課題を解決するための手段】
【００１６】
上記課題を解決するために、請求項１に記載のスピーカブラケットは、略リング状に形成されて、一面側にスピーカフレームの前端側周壁に締結されるフレーム整合部が設けられると共に、他面側には前記前端側周壁を固定すべきキャビネットのスピーカ取付部に固定されるキャビネット整合部が設けられて、スピーカユニットを前記スピーカ取付部に取り付ける際に、前記前端側周壁と前記スピーカ取付部との間における取り付け寸法の整合に用いられるスピーカブラケットであって、前記フレーム整合部が、前記スピーカフレームの前面側及び後面側のいずれからも、前記前端側周壁に装着可能に形成されたことを特徴とする。
【００１７】
請求項２に記載のスピーカ装置は、キャビネットのスピーカ取付部へ固定するためのキャビネット取付部が前端側周壁に形成されたスピーカフレームに、振動板及び該振動板を駆動するための磁気回路が組み付けられたスピーカユニットと、当該スピーカユニットを前記スピーカ取付部に取り付ける際に前記前端側周壁と前記スピーカ取付部との間に介在させることで、前記前端側周壁と前記スピーカ取付部との間における取り付け寸法の整合に用いられるスピーカブラケットと、を備えるスピーカ装置であって、前記スピーカブラケットとして、請求項１に記載のスピーカブラケットが備えられたことを特徴とする。
【発明を実施するための最良の形態】
【００１８】
以下、本発明に係るスピーカブラケット及びスピーカ装置の好適な実施の形態について説明する。
本発明の実施の形態となるスピーカ装置は、キャビネット等のスピーカ取付部へ固定するためのキャビネット取付部が前端側周壁に形成されたスピーカフレームに振動板や該振動板を駆動するための磁気回路が組み付けられたスピーカユニットと、当該スピーカユニットを前記スピーカ取付部に取り付ける際に前記前端側周壁と前記スピーカ取付部との間に介在させることで、前記前端側周壁と前記スピーカ取付部との間における取り付け寸法の整合に用いられるスピーカブラケットとを備える。
【００１９】
そして、前記スピーカブラケットは、略リング状に形成されて、一面側にスピーカフレームの前端側周壁に締結されるフレーム整合部が設けられると共に、他面側には前記前端側周壁を固定すべきキャビネット等のスピーカ取付部に固定されるキャビネット整合部が設けられている。
更に、前記スピーカブラケットは、前記フレーム整合部が、前記スピーカフレームの前面側及び後面側のいずれからも、前記前端側周壁に装着可能に形成されている。
【００２０】
以上の構成によれば、スピーカユニットに付属させるスピーカブラケットは、梱包時には、スピーカユニットの前面側からスピーカフレームの前端側周壁に取り付けることで、スピーカユニットの振動板の前方に、保護用の隙間を確保して、スピーカ前面を覆う保護カバーとして機能する。
【００２１】
そして、スピーカユニットの前面側からスピーカフレームの前端側周壁にスピーカブラケットを取り付けた状態で梱包すると、スピーカユニットの前面側への飛び出しを押さえる梱包部品の張り出し部は、スピーカフレームの前端側周壁に直接接触することはなく、キャビネット整合部を有したスピーカブラケットの他面を押さえることになるため、スピーカ中心軸側に張り出し部の張り出し長を増大させても、前端側周壁の内側からスピーカ前方に向かって突出するロールエッジに張り出し部が干渉することがなく、大きな接触面積で押さえることができる。
【００２２】
従って、梱包箱を落下させた時などに、スピーカユニットから梱包部品の張り出し部に作用する剪断荷重を広い接触面積に分散して受けることができ、張り出し部に欠損や変形が生じることを防止でき、スピーカユニットをしっかりと保持した状態を維持して、スピーカユニットがダメージを受けることを防止できる。
【００２３】
また、本来は取り付け寸法の調整のためにスピーカユニットとスピーカ取付部との間に介在させるスピーカブラケットが、スピーカフレームの前端側周壁に前面側から組み付けられることで、スピーカユニットの前面を保護する保護カバーとして機能して、スピーカユニットへの保護性能が強化されるため、保護性能の強化のために梱包部品の追加が必要にならない。
従って、梱包部品の増加による梱包構造の複雑化をなくし、梱包構造の単純化により梱包箱の設計を容易にすることができ、コストの低減を実現することができる。
【００２４】
更に上記実施の形態の具体的な実施例を、以下に示す。
【実施例１】
【００２５】
図３は上記実施の形態の具体例となるスピーカブラケット及びスピーカ装置の実施例１の縦断面図、図４は図３に示したスピーカ装置のスピーカ取付部に取り付けた状態の断面図、図５は図３に示したスピーカ装置の梱包する場合のスピーカユニットとスピーカブラケットとの位置関係を示す斜視図、図６は図３に示したスピーカ装置の梱包状態を示す縦断面図である。
【００２６】
この実施例１のスピーカ装置２１は、キャビネット等のスピーカ取付部２３へ固定するためのキャビネット取付部１１ａが前端側周壁１１ｂに形成されたスピーカフレーム１１に振動板１３や該振動板１３を駆動するための磁気回路１４が組み付けられたスピーカユニット１と、当該スピーカユニット１を前記スピーカ取付部２３に取り付ける際に前端側周壁１１ｂとスピーカ取付部２３との間に介在させることで、前端側周壁１１ｂとスピーカ取付部２３との間における取り付け寸法の整合に用いられるスピーカブラケット２５とを備える。
【００２７】
スピーカフレーム１１は、略リング状をなす前端側周壁１１ｂと、この前端側周壁１１ｂの後部に延出した磁気回路支持部１１ｃとを、鋳造により一体形成したものである。前端側周壁１１ｂは、その内周側の前面部がエッジ支持部となっている。
本実施例の場合、キャビネット取付部１１ａは、対向する一対の爪１１ｄ，１１ｄによりねじ挿通部１１ｅを形成したものである。
【００２８】
振動板１３は、コーン型振動板で、その外周縁に接合されたロールエッジ１５の外周部が前端側周壁１１ｂのエッジ支持部に接着・固定されている。
【００２９】
スピーカ取付部２３は、例えば、キャビネットのバッフル板２７に形成されるもので、スピーカユニット１の後部を挿通させるスピーカ取付穴２８と、ねじ止めのためにスピーカ取付穴２８の周囲のピッチ円上に複数装備される締結用穴２９とから構成されている。
【００３０】
本実施例の場合、スピーカ取付穴２８の内径は、磁気回路支持部１１ｃの外径よりも大きいが、スピーカユニット１に対する標準の取付穴径よりも若干小さ目に形成されている。また、締結用穴２９が配置されるピッチ円直径も、スピーカフレーム１１の前端側周壁１１ｂ上でのねじ挿通部１１ｅのピッチ円直径よりも小さく設定されている。
即ち、スピーカフレーム１１の前端側周壁１１ｂとスピーカ取付部２３との間では、取り付け寸法が一致していない。
【００３１】
そして、スピーカブラケット２５は、略リング状に形成された本体２５ａの一面側にスピーカフレーム１１の前端側周壁１１ｂに締結されるフレーム整合部３０が設けられると共に、本体２５ａの他面側には前端側周壁１１ｂを固定すべきスピーカ取付部２３に固定されるキャビネット整合部３２が設けられている。
【００３２】
フレーム整合部３０は、前端側周壁１１ｂの前面又は後面が当接するリング状の水平当接面３０ａと、前端側周壁１１ｂの外周に当接して前記水平当接面３０ａに沿う方向の相対移動を規制する垂直当接壁３０ｂと、前記水平当接面３０ａ上に載置されたキャビネット取付部１１ａのねじ挿通部１１ｅに対応するねじ止め穴３０ｃとから構成されている。
【００３３】
キャビネット整合部３２は、本体２５ａの他面側の内周に突設された突片３２ａに、スピーカ取付部２３の締結用穴２９に対応するねじ止め穴３２ｂを形成したものである。
キャビネット整合部３２は、スピーカ取付部２３の締結用穴２９の配列に対応して、本体２５ａの内周の複数箇所に装備されている。
突片３２ａのスピーカ取付部２３側の表面は、スピーカ取付部２３に密着する平坦面に仕上げられている。
【００３４】
また、スピーカフレーム１１の前端側周壁１１ｂは、前面側及び後面側が同一構造となっている。
従って、スピーカブラケット２５のフレーム整合部３０は、図４乃至図６に示すように、スピーカフレーム１１の前面側及び後面側のいずれからも、スピーカフレーム１１の前端側周壁１１ｂに装着可能である。
但し、図６に示すように、スピーカフレーム１１の前面側から、スピーカブラケット２５をスピーカフレーム１１の前端側周壁１１ｂに組み付けた場合には、キャビネット整合部３２の突片３２ａは、スピーカユニット１の前面に突出しているロールエッジ１５の先端との間に保護用の隙間Ｓを確保して、ロールエッジ１５及び振動板１３の前方に張り出すように、スピーカブラケット２５の軸方向の寸法が設定されている。
保護用の隙間Ｓは、移載や運送中の振動等で、ロールエッジ１５や振動板１３が軸方向に変位しても、スピーカブラケット２５に干渉することが無い大きさに設定されている。
【００３５】
以上のスピーカブラケット２５は、スピーカユニット１をバッフル板２７のスピーカ取付部２３に取り付ける場合には、図４に示すように、スピーカフレーム１１の後面側からスピーカフレーム１１の前端側周壁１１ｂに組み付けられた状態で使用される。
バッフル板２７の組み付け手順は、バッフル板２７にスピーカブラケット２５を組み付け、その後、スピーカブラケット２５にスピーカユニット１を組み付けると良い。
【００３６】
スピーカユニット１を梱包する場合には、図５に示すように、スピーカブラケット２５を、該スピーカブラケット２５のフレーム整合部３０がスピーカユニット１の前面側から前端側周壁１１ｂのキャビネット取付部１１ａに対向するように配置して、前端側周壁１１ｂ上に嵌合装着する。
なお、キャビネット取付部１１ａとフレーム整合部３０とをねじ止めすれば、スピーカブラケット２５をしっかりとスピーカユニット１の前面に固定することができる。
【００３７】
そして、本実施の形態のスピーカ装置２１では、梱包時には、図５に示したように、スピーカフレーム１１の前面側から前端側周壁１１ｂにスピーカブラケット２５が装着された状態で、梱包部品による保持をさせる。
【００３８】
図６は、不図示の梱包箱に収容するスピーカ装置２１を、例えば発泡スチロール製の梱包部品３５，３６で保持させた状態を示している。
梱包部品３５は、スピーカユニット１の後部を収容する凹部３５ａの周囲に、前端側周壁１１ｂの後端面が当接する段差部３５ｂを形成した構成になっている。この実施例の場合は、段差部３５ｂの深さｄは、前端側周壁１１ｂの厚さ寸法ｄ１に、該前端側周壁１１ｂに上に重なるスピーカブラケット２５の厚さ寸法ｄ２を加算した寸法よりも僅かに大きく設定されているが、段差部３５ｂの深さｄを（ｄ１＋ｄ２）に近づけるほど、スピーカ装置をより高精度に保持することが可能になる。
【００３９】
また、梱包部品３６は、梱包部品３５の上に被せられる部材で、梱包部品３５の段差部３５ｂとの間に前端側周壁１１ｂとスピーカブラケット２５とを挟み込むことで、流通時に作用する振動や衝撃等でスピーカユニット１が凹部３ａ，５ａから飛び出すことを防止する。
【００４０】
以上の実施例１のスピーカ装置２１では、スピーカユニット１に付属させるスピーカブラケット２５は、梱包時には、スピーカユニット１の前面側からスピーカフレーム１１の前端側周壁１１ｂに取り付けることで、スピーカユニット１の振動板１３の前方に、保護用の隙間Ｓを確保して、スピーカ前面を覆う保護カバーとして機能する。
【００４１】
そして、スピーカユニット１の前面側からスピーカフレーム１１の前端側周壁１１ｂにスピーカブラケット２５を取り付けた状態で梱包すると、図６に示すように、スピーカユニット１の前面側への飛び出しを押さえる梱包部品３６の張り出し部３６ａは、スピーカフレーム１１の前端側周壁１１ｂに直接接触することはなく、キャビネット整合部３２を有したスピーカブラケット２５の他面を押さえることになるため、スピーカ中心軸側に張り出し部３６ａの張り出し長Ｌを増大させても、前端側周壁１１ｂの内側からスピーカ前方に向かって突出するロールエッジ１５に張り出し部３６ａが干渉することがなく、大きな接触面積でスピーカ装置２１を押さえることができる。
従って、梱包箱を落下させた時などに、スピーカユニット１から梱包部品３６の張り出し部３６ａに作用する剪断荷重を広い接触面積に分散して受けることができ、張り出し部３６ａに欠損や変形が生じることを防止でき、スピーカユニット１をしっかりと保持した状態を維持して、スピーカユニット１がダメージを受けることを防止できる。
【００４２】
また、本来は取り付け寸法の調整のためにスピーカユニット１とスピーカ取付部２３との間に介在させるスピーカブラケット２５が、スピーカフレーム１１の前端側周壁１１ｂに前面側から組み付けられることで、スピーカユニット１の前面を保護する保護カバーとして機能して、スピーカユニット１への保護性能が強化されるため、保護性能の強化のために特に梱包部品の追加が必要にならない。
従って、梱包部品の増加による梱包構造の複雑化をなくし、梱包構造の単純化により梱包箱の設計を容易にすることができ、コストの低減を実現することができる。
【実施例２】
【００４３】
図７乃至図１３は本発明の実施の形態の具体例となるスピーカブラケット及びスピーカ装置の実施例２を示したもので、図７は実施例２のスピーカ装置をスピーカ取付部に取り付ける場合の分解斜視図、図８は図７に示したスピーカブラケットの正面図、図９は図７に示したスピーカ装置の後面図、図１０は図８のＡ−Ａ断面図、図１１は図８に示したスピーカブラケットのＢ矢視図、図１２は図９のＣ−Ｃ断面図、図１３は図８のＤ部の拡大図である。
【００４４】
この実施例２のスピーカ装置４１は、バッフル板４２に形成されるスピーカ取付部４３が、楕円形状のスピーカ取付穴４４と該スピーカ取付穴４４の周囲に装備される複数個の締結用穴４５とで形成されている場合に、内周が略真円形状で外周が楕円形状のスピーカブラケット４６を付属させることで、外周が略真円形のスピーカユニット１をスピーカ取付部４３に取り付け可能にしたものである。
【００４５】
スピーカユニット１の構成は実施例１の場合と共通であるので、スピーカユニット１についての説明は省略する。
【００４６】
楕円形状のスピーカ取付穴４４は、短径が前端側周壁１１ｂの外径と略同等か、それ以上に設定されている。
この実施例２におけるスピーカブラケット４６は、内周が略真円形状で外周が楕円形状の板材であるブラケット本体４６ａの一面側にスピーカフレーム１１の前端側周壁１１ｂに締結されるフレーム整合部４７が設けられると共に、他面側には前端側周壁１１ｂを固定すべきスピーカ取付部４３に固定されるキャビネット整合部４８，４９，５０が設けられて、スピーカユニット１をスピーカ取付部４３に取り付ける際に、前端側周壁１１ｂとスピーカ取付部４３との間における取り付け寸法の整合に用いられる。
【００４７】
ブラケット本体４６ａの表面側は、図７及び図８にも示すように、単純な平坦面となっている。しかし、ブラケット本体４６ａの後面側は、図９に示すように、真円形の内周部を形成する内側垂直壁４６ｂと楕円形の外周部を形成する外側垂直壁４６ｃとの間を連結するリブ４６ｄが放射状に装備されることで、強度の確保と、軽量化とが達成されている。
また、ブラケット本体４６ａは、外周部がスピーカ取付穴４４の周縁に重なるように、外径がスピーカ取付穴４４よりも大きく設定されている。
【００４８】
フレーム整合部４７は、図８にも示すように、前端側周壁１１ｂの前面又は後面が当接するリング状の水平当接面４７ａと、前端側周壁１１ｂの外周に当接して前記水平当接面４７ａに沿う方向の相対移動を規制する垂直当接壁４７ｂと、前記水平当接面４７ａ上に載置されたキャビネット取付部１１ａのねじ挿通部１１ｅに対応するねじ止め穴４７ｃとから構成されている。
ねじ止め穴４７ｃの位置は、キャビネット取付部１１ａのねじ挿通部１１ｅの配置に対応して設けられている。
【００４９】
キャビネット整合部４８，４９は、ブラケット本体４６ａの他面側から一面側に貫通形成されたねじ止め用の穴又は切り欠きで、スピーカ取付部４３としての締結用穴４５に対応して形成されている。
【００５０】
キャビネット整合部４８は、穴の断面形状が単純な長円形に設定されている。これに対して、キャビネット整合部４９は、図１３に示すように、穴の断面形状が、長円形の穴４９ａと、該穴４９ａから偏心した位置に連接された円形の穴４９ｂとを複合させた異形構造になっている。これは、スピーカ取付部４３にねじ止めしたスピーカブラケット４６を取り外す場合に、キャビネット整合部４８を固定しているねじを外せば、キャビネット整合部４９を固定しているねじは緩めるだけで、スピーカブラケット４６を簡単に取り外せるようにするための配慮である。
【００５１】
キャビネット整合部５０は、スピーカ取付部４３における締結用穴４５の配置が更に変更された場合の予備のねじ止め用穴である。
【００５２】
この実施例２のスピーカブラケット４６の場合も、フレーム整合部４７は、スピーカフレーム１１の前面側及び後面側のいずれからも、前端側周壁１１ｂに装着可能である。
そして、実施例２に示したスピーカ装置４１の場合も、実施例１の場合と同様に、梱包時には、スピーカフレーム１１の前面側から前端側周壁１１ｂにスピーカブラケット４６が装着された状態で、梱包部品による保持をさせる。
これにより、実施例１の場合と同様の作用効果を得ることができる。
【００５３】
以上に詳述したように、本発明の実施の形態に係るスピーカブラケット２５は、略リング状に形成されて、一面側にスピーカフレーム１１の前端側周壁１１ｂに締結されるフレーム整合部３０が設けられると共に、他面側には前記前端側周壁１１ｂを固定すべきキャビネットのスピーカ取付部２３に固定されるキャビネット整合部３２が設けられて、スピーカユニット１を前記スピーカ取付部２３に取り付ける際に、前記前端側周壁１１ｂと前記スピーカ取付部２３との間における取り付け寸法の整合に用いられるスピーカブラケット２５であって、
前記フレーム整合部３０が、前記スピーカフレーム１１の前面側及び後面側のいずれからも、前記前端側周壁１１ｂに装着可能に形成されたことを特徴としている。
【００５４】
これにより、スピーカユニット１に付属させるスピーカブラケット２５は、梱包時には、スピーカユニット１の前面側からスピーカフレーム１１の前端側周壁１１ｂに取り付けることで、スピーカユニット１の振動板１３の前方に、保護用の隙間Ｓを確保して、スピーカ前面を覆う保護カバーとして機能する。
【００５５】
また、以上に詳述したように、本発明の実施の形態に係るスピーカ装置２１は、キャビネットのスピーカ取付部２３へ固定するためのキャビネット取付部１１ａが前端側周壁１１ｂに形成されたスピーカフレーム１１に振動板１３や該振動板１３を駆動するための磁気回路１４が組み付けられたスピーカユニット１と、当該スピーカユニット１を前記スピーカ取付部２３に取り付ける際に前記前端側周壁１１ｂと前記スピーカ取付部２３との間に介在させることで、前記前端側周壁１１ｂと前記スピーカ取付部２３との間における取り付け寸法の整合に用いられるスピーカブラケット２５とを備えるスピーカ装置２１であり、スピーカブラケット２５として、上記実施の形態のスピーカブラケット２５を備えることを特徴としている。
【００５６】
これにより、ピーカユニットの前面側からスピーカフレーム１１の前端側周壁１１ｂにスピーカブラケット２５を取り付けた状態で梱包すると、スピーカユニット１の前面側への飛び出しを押さえる梱包部品３６の張り出し部３６ａは、スピーカフレーム１１の前端側周壁１１ｂに直接接触することはなく、キャビネット整合部３２を有したスピーカブラケット２５の他面を押さえることになるため、スピーカ中心軸側に張り出し部３６ａの張り出し長を増大させても、前端側周壁１１ｂの内側からスピーカ前方に向かって突出するロールエッジ１５に張り出し部３６ａが干渉することがなく、大きな接触面積で押さえることができる。
従って、梱包箱を落下させた時などに、スピーカユニット１から梱包部品３６の張り出し部３６ａに作用する剪断荷重を広い接触面積に分散して受けることができ、張り出し部３６ａに欠損や変形が生じることを防止でき、スピーカユニット１をしっかりと保持した状態を維持して、スピーカユニット１がダメージを受けることを防止できる。
【００５７】
また、本来は取り付け寸法の調整のためにスピーカユニット１とスピーカ取付部２３との間に介在させるスピーカブラケット２５が、スピーカフレーム１１の前端側周壁１１ｂに前面側から組み付けられることで、スピーカユニット１の前面を保護する保護カバーとして機能して、スピーカユニット１への保護性能が強化されるため、保護性能の強化のために特に梱包部品の追加が必要にならない。
従って、梱包部品の増加による梱包構造の複雑化をなくし、梱包構造の単純化により梱包箱の設計を容易にすることができ、コストの低減を実現することができる。
【図面の簡単な説明】
【００５８】
【図１】従来のスピーカ装置の梱包構造の縦断面図である。
【図２】従来のスピーカ装置においてスピーカブラケットが付属する場合の梱包構造の縦断面図である。
【図３】本発明の実施の形態の具体例となるスピーカブラケット及びスピーカ装置の実施例１をスピーカ取付部に取り付ける場合の分解斜視図である。
【図４】図３に示したスピーカ装置のスピーカ取付部に取り付けた状態の断面図である。
【図５】図３に示したスピーカ装置の梱包する場合のスピーカユニットとスピーカブラケットとの位置関係を示す斜視図である。
【図６】図３に示したスピーカ装置の梱包状態を示す縦断面図である。
【図７】本発明の実施の形態の具体例となるスピーカブラケット及びスピーカ装置の実施例２をスピーカ取付部に取り付ける場合の分解斜視図である。
【図８】図７に示したスピーカブラケットの正面図である。
【図９】図７に示したスピーカ装置の後面図である。
【図１０】図８のＡ−Ａ断面図である。
【図１１】図８に示したスピーカブラケットのＢ矢視図である。
【図１２】図９のＣ−Ｃ断面図である。
【図１３】図８のＤ部の拡大図である。
【符号の説明】
【００５９】
１  スピーカユニット
１１  スピーカフレーム
１１ａ  キャビネット取付部
１１ｂ  前端側周壁
１１ｄ  爪
１１ｅ  ねじ挿通部
１３  振動板
１５  ロールエッジ
２５  スピーカブラケット
２７  バッフル板
２８  スピーカ取付穴
２９  締結用穴
３０  フレーム整合部
３０ａ  水平当接面
３０ｂ  垂直当接壁
３０ｃ  ねじ止め穴
３２  キャビネット整合部
３２ａ  突片
３２ｂ  ねじ止め穴
４１  スピーカ装置
４２  バッフル板
４３  スピーカ取付部
４４  スピーカ取付穴
４５  締結用穴
４６  スピーカブラケット
４６ａ  ブラケット本体
４６ｂ  内側垂直壁
４６ｃ  外側垂直壁
４７  フレーム整合部
４７ａ  水平当接面
４７ｂ  垂直当接壁
４７ｃ  ねじ止め穴
４８，４９  キャビネット整合部
【図１】
2007181015.tif 000003
【図２】
2007181015.tif 000004
【図３】
2007181015.tif 000005
【図４】
2007181015.tif 000006
【図５】
2007181015.tif 000007
【図６】
2007181015.tif 000008
【図７】
2007181015.tif 000009
【図８】
2007181015.tif 000010
【図９】
2007181015.tif 000011
【図１０】
2007181015.tif 000012
【図１１】
2007181015.tif 000013
【図１２】
2007181015.tif 000014
【図１３】
2007181015.tif 000015